(57)【要約】      （修正有）【課題】デザイン性を低下させることなく、外出先等で容易に映像を視聴可能なヘッドホン装置を提供する。【解決手段】ヘッドホンユニット１１において、音声を出力する左スピーカ部３０と、対象物に対して画像を投影する画像投影部３１と、左スピーカ部３０及び画像投影部３１を収容するハウジング３２と、を備える。ハウジング３２には、開口部３７ａが設けられ、画像投影部３１から出射した画像は、開口部３７ａを通じて対象物に対して投影される。【選択図】図１
2016025368.tif 000002
【特許請求の範囲】
【請求項１】
音声を出力するスピーカ部と、
対象物に対して画像を投影する画像投影装置と、
前記スピーカ部及び前記画像投影装置を収容するハウジングと、を備え、
前記ハウジングには開口部が設けられ、
前記画像投影装置から出射した前記画像は、前記開口部を通じて前記対象物に対して投影される、
ことを特徴とするヘッドホンユニット。
【請求項２】
ユーザの頭部に装着されている状態で、前記ユーザの視野内に存在する前記対象物に対して前記画像が投影されるように、前記画像投影装置からの前記画像の投影角度を調整可能にする調整手段を更に備える、
ことを特徴とする請求項１に記載のヘッドホンユニット。
【請求項３】
前記調整可能な方向は、前記画像の投影角度を上下に調整可能とする方向である、
ことを特徴とする請求項２に記載のヘッドホンユニット。
【請求項４】
前記ハウジングは、ハウジング本体と、前記画像投影装置が取り付けられた取付け台と、を有し、
前記取付け台は、前記画像投影装置からの前記画像の投影角度を調整可能とするために、前記ハウジング本体に回転可能に収容されている、
ことを特徴とする請求項２又は３に記載のヘッドホンユニット。
【請求項５】
前記開口部は、前記ハウジング本体に設けられ、
前記取付け台は、
前記画像投影装置から出射した前記画像が前記取付け台により遮られることを防止するための切欠き部と、
前記取付け台が前記ハウジング本体に対して所定の角度に回転しているときに、前記ハウジング本体に設けられた前記開口部を塞ぐためのシャッタ部と、を備える、
ことを特徴とする請求項４に記載のヘッドホンユニット。
【請求項６】
前記取付け台の材料は、前記画像投影装置が放出する熱を放熱可能な特性を有する材料を含む、
ことを特徴とする請求項４又は５に記載のヘッドホンユニット。
【請求項７】
前記ハウジングは、前記取付け台に取り付けられた前記画像投影装置からの前記画像の投影角度が所定の回転角度毎に固定可能となるように、前記ハウジング本体に対して前記取付け台を所定の回転角度毎に係止させる係止手段を更に有する、
ことを特徴とする請求項４乃至６の何れか１項に記載のヘッドホンユニット。
【請求項８】
前記係止手段は、前記取付け台と共に回転する第１係止部と、前記ハウジング本体に設けられ、前記第１係止部を係止可能な複数の第２係止部と、を有する、
ことを特徴とする請求項７に記載のヘッドホンユニット。
【請求項９】
前記画像投影装置は、前記取付け台に取り付けられるプロジェクタと、前記ハウジング本体に取り付けられ、前記プロジェクタを駆動する駆動基板と、を備え、
前記プロジェクタと前記駆動基板とは、蛇腹状に折り曲げ可能なフレキシブルフラットケーブルにより接続されている、
ことを特徴とする請求項４乃至７の何れか１項に記載のヘッドホンユニット。
【請求項１０】
前記プロジェクタは、少なくとも１つの光源と、前記少なくとも１つの光源からの出射光により前記対象物に前記画像が投影されるようにするために前記出射光を偏向するＭＥＭＳミラーと、を有する、
ことを特徴とする請求項９に記載のヘッドホンユニット。
【請求項１１】
前記画像投影装置は、
少なくとも１つの光源と、前記少なくとも１つの光源からの出射光により前記対象物に前記画像が投影されるようにするために前記出射光を偏向するＭＥＭＳミラーと、を有するプロジェクタを備える、
ことを特徴とする請求項１乃至８の何れか１項に記載のヘッドホンユニット。
【請求項１２】
前記画像投影装置は、前記画像投影装置と前記対象物との間の距離及び前記画像投影装置からの前記対象物に対する前記画像の投射角度に関わらず、前記対象物に焦点が合うフォーカスフリーで前記画像を前記対象物に対して投影する、
ことを特徴とする請求項１乃至１１の何れか１項に記載のヘッドホンユニット。
【請求項１３】
前記スピーカが出力する前記音声の元となる音データ及び前記画像投影装置が投影する映像の元となる映像データの一方又は両方を無線で受信可能な無線通信手段を更に備える、
ことを特徴とする請求項１乃至１２の何れか１項に記載のヘッドホンユニット。
【請求項１４】
前記ヘッドホンユニットは、左ヘッドホンユニット又は右ヘッドホンユニットである、
ことを特徴とする請求項１乃至１３の何れか１項に記載のヘッドホンユニット。
【請求項１５】
請求項１４に記載のヘッドホンユニットと、
前記ヘッドホンユニットと左右逆側の他のヘッドホンユニットと、を備える、
ことを特徴とする一対のヘッドホンユニット。
【請求項１６】
請求項１乃至１４の何れか１項に記載のヘッドホンユニットを備える、
ことを特徴とするヘッドホン装置。
【請求項１７】
請求項１５に記載の一対のヘッドホンユニットを備える、
ことを特徴とするヘッドホン装置。
【発明の詳細な説明】
【技術分野】
【０００１】
本発明は、ヘッドホンユニット及びヘッドホン装置に関し、特には、映像を投影可能なプロジェクタ機能を備えたヘッドホンユニット及びこれを備えるヘッドホン装置に関する。
【背景技術】
【０００２】
近年、スマートホンやタブレットのようなデータ容量の大きな小型の電子機器の普及により、電車や飛行機等の乗り物に乗っての移動中や外出先において、映像を楽しむ人が増えてきている。例えば、モバイル機器に映像データや音声データを予めダウンロード又は保存しておくことで、電車や飛行機の中や外出先で映像を容易に楽しむことができる。
【０００３】
ここで、電車や飛行機での移動中や外出先等で映像を視聴する場合、周囲への気配り等の観点から、モバイル機器にヘッドホンを接続して、個人的に映像の視聴を楽しむのが一般的である。その際、ユーザは、モバイル機器を手に持って視聴することになるが、例えば、タブレット端末のような比較的大きなモバイル機器の場合、画面が大きいので見易くなるが、その分重量が重くなり、ユーザへの負担が増加するという問題がある。
【０００４】
これに対しては、ヘッドホンに小型の映像表示装置及び反射鏡を取り付けて、反射鏡に映像表示装置の映像を反射させて視聴する技術が提案されている（例えば、特許文献１参照）。
【先行技術文献】
【特許文献】
【０００５】
【特許文献１】特開平０３−１３２１８０号公報
【発明の概要】
【発明が解決しようとする課題】
【０００６】
しかしながら、特許文献１に記載のヘッドホン型映像表示装置は、スピーカ部の外面にテレビ受信機を取り付けた構成であるため、装置全体が大型化する。また、重量化するため、装着した際のユーザへの負担が大きくなる。更に、テレビ受信機が外部に露出していたり、反射鏡が取り付けられているため、例えば、音楽を聴くだけのヘッドホンとして使用する際のデザイン性が低下する。
【０００７】
そこで、本発明は、デザイン性を低下させることなく、乗り物での移動中や外出先等で容易に映像等を視聴可能なヘッドホン装置を提供することを目的とする。
【課題を解決するための手段】
【０００８】
本発明は、ヘッドホンユニットにおいて、音声を出力するスピーカ部と、対象物に対して画像を投影する画像投影装置と、前記スピーカ部及び前記画像投影装置を収容するハウジングと、を備え、前記ハウジングには開口部が設けられ、前記画像投影装置から出射した前記画像は、前記開口部を通じて前記対象物に対して投影される、ことを特徴とする。
【発明の効果】
【０００９】
本発明によれば、デザイン性を低下させることなく、乗り物での移動中や外出先等で容易に映像等を楽しむことが可能なヘッドホン装置を提供することができる。
【図面の簡単な説明】
【００１０】
【図１】本発明の実施形態に係るヘッドホン装置を模式的に示す正面図である。
【図２】本実施形態に係るヘッドホン装置の右ヘッドホンユニットを示す図である。
【図３】本実施形態に係るヘッドホン装置の左ヘッドホンユニットを示す図である。
【図４】左ヘッドホンユニットの構成部材の一部を示す斜視図である。
【図５】取付け台のシャッタ部を開閉した状態を示す図である。
【図６】本実施形態に係るヘッドホン装置のブロック図である。
【図７】本実施形態に係るヘッドホン装置の使用状態を示す図である。
【発明を実施するための形態】
【００１１】
（第１の実施形態）
本発明の実施形態に係るヘッドホン装置１について、図面を参照しながら説明する。本実施形態に係るヘッドホン装置１は、映像を投影可能なＭＥＭＳ（Ｍｉｃｒｏ  Ｅｌｅｃｔｒｏ  Ｍｅｃｈａｎｉｃａｌ  Ｓｙｓｔｅｍｓ）プロジェクタが、音を出力する左ヘッドホンユニット３に内蔵されており、装着するだけで、単に音楽を聴くのみならず、映画等の動画や静止画を視聴することができるようになっている。以下、具体的に説明する。
【００１２】
まず、ヘッドホン装置１の概略構成について、図１から図６を参照しながら説明する。図１は、本発明の実施形態に係るヘッドホン装置１を模式的に示す正面図である。図２（ａ）は本実施形態に係るヘッドホン装置１の右ヘッドホンユニット２の斜視図であり、（ｂ）は（ａ）のＩＩｂ断面図である。図３（ａ）は本実施形態に係るヘッドホン装置１の左ヘッドホンユニット３の斜視図であり、（ｂ）は（ａ）のＩＩＩｂ断面図である。図４（ａ）は係止手段４０を示す斜視図であり、（ｂ）は取付け台３８を示す斜視図であり、（ｃ）及び（ｄ）はＦＦＣ（Ｆｌｅｘｉｂｌｅ  Ｆｌａｔ  Ｃａｂｌｅ；フレキシブルフラットケーブル）３６を示す斜視図である。図５（ａ）は取付け台３８のシャッタ部３８ａを開いた状態を示す図であり、（ｂ）は閉じた状態を示す図である。図６は、本実施形態に係るヘッドホン装置１のブロック図である。
【００１３】
図１に示すように、ヘッドホン装置１は、ヘッドバンド１０と、ヘッドバンド１０の両端に取付けられた一対のヘッドホンユニット１１と、を備えている。
【００１４】
ヘッドバンド１０は、略円弧状に湾曲形成されており、ユーザの頭部を挟むように装着した際の弾性復元力で、両端に取付けられた一対のヘッドホンユニット１１をユーザの両耳の周囲に押圧させて保持する。また、ヘッドバンド１０は、長手方向に伸縮可能な伸縮機構１０ａ，１０ｂを備えており、伸縮機構１０ａ，１０ｂを伸縮させることで、長さを調整可能になっている。ヘッドバンド１０は、伸縮機構１０ａ，１０ｂで、ユーザの頭部に合わせて長さを調整することで、ユーザの頭部にフィットさせることができる。
【００１５】
一対のヘッドホンユニット１１は、右耳用のヘッドホンユニット（以下、単に「右ヘッドホンユニット」という）２と、左耳用のヘッドホンユニット（以下、単に「左ヘッドホンユニット」という）３と、を備えている。右ヘッドホンユニット２及び左ヘッドホンユニット３は、ヘッドバンド１０の両端において、押圧方向と略直交する方向に延びる回動軸１２ａ，１２ｂを中心に、ヘッドバンド１０に回動自在に支持されており、ユーザの頭部の輪郭に合わせて回動することで装着性の向上が図られている。なお、このような一対のヘッドホンユニット１１を回動させる回動機構は、回動軸１２ａ，１２ｂを用いる構成に限らず、例えば、ヒンジを用いて一対のヘッドホンユニット１１を回動自在に構成してもよい。
【００１６】
図２及び図６に示すように、右ヘッドホンユニット２は、音を出力する右スピーカ部２０と、内部電源（バッテリー）２１と、電源スイッチ２２と、操作部２３と、音データを無線通信可能な無線通信部（無線通信手段）２４と、これらを収容するハウジング２５と、ユーザの右耳の周囲に圧接するイヤーパッド２６と、を備えている。なお、電源スイッチ２２及び操作部２３は、図６のみに示している。
【００１７】
右スピーカ部２０は、入力された音声信号や音楽信号等の音信号から音声や音楽等の音を再生する不図示のドライバユニットを備えており、ドライバユニットは、入力された音信号をダイヤフラム（振動版）の運動に変化させ、これにより音を再生する。具体的には、ドライバユニットのコアとなるダイヤフラムには、コイルが巻き付けられており、永久磁石と対向して配置されている。そして、コイルに電流が流れると、コイルが一種の電磁石となり、磁界が発生する。このとき、ある電流の向きではコイルと永久磁石は引き付けあい、反対の向きでは反発しあう。このように、コイルに音信号を流すと、その電流の向きによりコイルの振動が変化する。その結果、コイルにつながったダイヤフラムも振動して音が発生する。
【００１８】
内部電源２１は、無線通信部２４、操作部２３及び後述する画像投影部３１等に電力を供給する。電源スイッチ２２は、ヘッドホン装置１の電源をオンまたはオフするために用いられる。操作部２３は、音量スイッチやサラウンドスイッチ等の音に関する各種スイッチ、及び後述する画像投影部３１の各種操作スイッチを備えており、これらの各種操作に用いられる。
【００１９】
無線通信部２４は、オーディオプレイヤー等の音声再生装置（音楽再生装置）やスマートホン等の音声再生機能（音楽再生機能）等から送信される音信号をワイヤレスで受信するためのものである。受信した音信号は、右スピーカ部２０及び後述する左スピーカ部３０に送られ、右スピーカ部２０及び左スピーカ部３０から出力される。本実施形態においては、無線通信部２４として、Ｂｌｕｅｔｏｏｔｈ（登録商標）を搭載したＢｌｕｅｔｏｏｔｈ  ＰＷＢ（ブルートゥース基板）が用いられている。
【００２０】
ハウジング２５は、右スピーカ部２０、内部電源２１及び無線通信部２４を収容可能に構成されると共に、イヤーパッド２６を支持している。また、ハウジング２５の外面には、ユーザによる電源のオン、オフ及び各種操作が容易となるように、電源スイッチ２２及び操作部２３が配設されている。なお、本実施形態においては、電源スイッチ２２及び操作部２３をハウジング２５の外面に配設したが、電源スイッチ２２及び操作部２３を別筐体に設けたり、左ヘッドホンユニット３側に設けたりする構成であってもよい。また、図２では、電源スイッチ２２及び操作部２３を不図示としている。
【００２１】
イヤーパッド２６は、弾性変形可能に形成されたパッド面２６ａがユーザの右耳の周囲に密着して、右スピーカ部２０から出力される音が右ヘッドホンユニット２から漏れることを防止する。
【００２２】
図３に示すように、左ヘッドホンユニット３は、音を出力する左スピーカ部３０と、映像を投影可能な画像投影部（画像投影装置）３１と、これらを収容するハウジング３２と、ユーザの左耳の周囲に圧接するイヤーパッド３３と、を備えている。
【００２３】
左スピーカ部３０は、右スピーカ部２０と構成が同様であるため、ここではその説明を省略する。
【００２４】
画像投影部３１は、被投影物（対象物）との距離及び被投影物に対する画像の投射角度に関わらず、被投影物に焦点が合うフォーカスフリーで映像を投影する。具体的には、画像投影部３１は、図６に示すように、ＭＥＭＳ基板３４と、ＭＥＭＳプロジェクタ３５と、を備えている。ＭＥＭＳ基板３４には、ＭＥＭＳプロジェクタ３５を駆動するＣＰＵ３１ａ及びメモリ３１ｂが実装されており、ＭＥＭＳプロジェクタ３５用の駆動基板として機能する。ＭＥＭＳプロジェクタ３５は、第１〜第３レーザ光源３１Ｒ、３１Ｇ、３１Ｂと、ＭＥＭＳミラー３１ｃと、を備えており、ＦＦＣ３６により、ＭＥＭＳ基板３４に接続されている。ＦＦＣ３６は、蛇腹状に折り曲げられた状態でＭＥＭＳ基板３４に接続されている（図４（ｃ）参照）。
【００２５】
ＣＰＵ３１ａは、外部（例えば、メモリ３１ｂや不図示のスロットから挿入される外部メモリ等）から入力される映像信号に各種補正を加えた画像信号を生成し、且つその画像信号に同期した水平同期信号及び垂直同期信号を生成する。なお、各種補正とは、ＭＥＭＳミラー３１ｃによるレーザ光の偏光に起因する映像歪み補正などを行うことを意味する。また、ＣＰＵ３１ａは、生成した画像信号のＲＧＢ毎に、第１〜第３レーザ光源３１Ｒ、３１Ｇ、３１Ｂを変調する。
【００２６】
第１〜第３レーザ光源３１Ｒ、３１Ｇ、３１Ｂは、ＲＧＢのレーザ光を出力する。出力されたＲＧＢのレーザ光は、不図示の反射ミラー等により１本に合成され、ＭＥＭＳミラー３１ｃに入射される。ＭＥＭＳミラー３１ｃは、１つの素子に２軸の回転機構があり、２軸の周り（すなわち、水平軸周りと垂直軸周り）に振動することができるようになっている。
【００２７】
更に、ＣＰＵ３１ａは、生成した水平同期信号に同期して正弦波を生成し、また垂直同期信号に同期してのこぎり波を生成し、ＭＥＭＳミラー３１ｃを駆動制御する。ＭＥＭＳミラー３１ｃは、正弦波を受けて水平方向に正弦波運動を行うと共に、ノコギリ波を受けて垂直方向の一方向に等速運動を行う。このようにしてレーザ光が偏向され、その偏向が第１〜第３レーザ光源３１Ｒ〜３１Ｂの変調動作と同期することで、レーザ光が被投影物を走査し、これにより、被投影物に入力画像が投射されることになる。なお、アレイ状の光源及びミラーアレイを用いる場合には、特に走査をしなくても、被投影物に入力画像が投影される。
【００２８】
図３及び図４に示すように、ハウジング３２は、ハウジング本体３７と、取付け台３８と、つまみ部材３９と、係止手段４０を含む。ハウジング本体３７は、ＭＥＭＳ基板３４及びＭＥＭＳプロジェクタ３５を収容する。また、ハウジング本体３７に、ＭＥＭＳ基板３４が取り付けられる。更に、取付け台３８に、ＭＥＭＳプロジェクタ３５が取り付けられる。ＭＥＭＳ基板３４とＭＥＭＳプロジェクタ３５は、上述したように蛇腹状のＦＦＣ３６により接続される。つまみ部材３９は、ハウジング本体３７に回転自在に支持され、取付け台３８に接続可能となっている。係止手段４０は、ハウジング本体３７に対して取付け台３８が段階的に回転するように、取付け台３８を所定の回転角度毎に係止させる。
【００２９】
ハウジング本体３７は、左スピーカ部３０の音声出力方向と交差する方向（ヘッドホン装置１を装着した際のユーザの正面側）に形成された略矩形状の開口部（投射口）３７ａを備えている。開口部３７ａは、取付け台３８に取付けられたＭＥＭＳプロジェクタ３５の投射画像を、ヘッドホン装置１を装着した際のユーザの視野内に投射可能に形成されている。これにより、ユーザの視野内に位置する被投影物にＭＥＭＳプロジェクタ３５の投射画像が投影される。
【００３０】
取付け台３８は、ハウジング本体３７の開口部３７ａを開閉可能なシャッタ部３８ａと、取り付けたＭＥＭＳプロジェクタ３５による投影を阻害しないように切り欠かれた切欠き部３８ｂと、つまみ部材３９の後述する回転軸３９ａと係合する被係合孔３８ｃと、を備えている。
【００３１】
図５に示すように、シャッタ部３８ａは、ハウジング本体３７の開口部３７ａを閉鎖可能に、取付け台３８におけるＭＥＭＳプロジェクタ３５の取付け面３８ｄから立設しており、取付け台３８の回転により、開口部３７ａと対向する位置にまで移動することで、開口部３７ａを閉鎖する。言い換えると、切欠き部３８ｂの範囲に、開口部３７ａが全くない場合には、シャッタ部３８ａにより開口部３７ａが閉鎖されることになる。シャッタ部３８ａで開口部３７ａを閉鎖することで、ハウジング本体３７の内部に埃やごみ等が不要に侵入することが防止される。また、シャッタ部３８ａで開口部３７ａを閉鎖することで、ハウジング本体３７から不要に投射光が漏れることが防止される。
【００３２】
取付け台３８の回転軸を基準にすると、開口部３７ａの回転方向の角度は、切欠き部３８ｂの回転方向の角度よりも大きくなるように形成されている。従って、取付け台３８の角度が所定範囲の角度を取っていれば、切欠き部３８ｂは、開口部３７ａの一部と一致し、従って、ＭＥＭＳプロジェクタ３５から出射された光は、切り欠き部３８ｂと開口部３７ａを通り、つまり、何にも遮られずに、ハウジング本体３７の外部に出射する。ユーザは、ヘッドホン装置１を頭部に装着した状態で、ハウジング本体３７の外部に出射する光が視野内にある被投影物に投影するように、開口部３７ａの向きを調整する。また、取付け台３８の回転角度を調整することにより、所定の範囲内で、投影角度を調整することができる。
【００３３】
なお、ＭＥＭＳプロジェクタ３５から出射した光の範囲を切欠き部３８ｂの範囲が上回る場合には、上記の作用、つまり、所定の範囲内で投影角度を調整することができるという作用が得られる限り、取付け台３８の回転軸を基準としたときに、開口部３７ａの回転方向の角度が、切欠き部３８ｂの回転方向の角度よりも大きくなくてもよい。
【００３４】
切欠き部３８ｂは、取付け面３８ｄに取付けられたＭＥＭＳプロジェクタ３５から出射された光が、シャッタ部３８ａ及び取付け面３８ｄにより遮られることを防止するために設けられている。ＭＥＭＳプロジェクタ３５と切欠き部３８ａとの位置関係は、取付け台３８が回転しても変化しない。
【００３５】
被係合孔３８ｃは、つまみ部材３９の回転軸３９ａを挿着可能に形成されており、被係合孔３８ｃに回転軸３９ａが挿着されることで、取付け台３８とつまみ部材３９とが連結される。なお、取付け台３８は、金属材料により形成されており、ＭＥＭＳプロジェクタ３５が放出する熱を放熱可能に構成されている。また、取付け台３８を金属材料で形成することで、開口部３７ａを閉鎖した際の投射光がシャッタ部３８ａを透過することも防止される。本実施形態においては、取付け台３８は、アルミにより形成されている。なお、取付け台３８用の材料は、放熱可能な特性と、遮光性と、所定の強度等と、を有するならば、他の材料を、金属材料に代えて、又は、金属材料に加えて、含んでいてもよい。
【００３６】
つまみ部材３９は、左スピーカ部３０の音声出力方向と略平行な回転軸３９ａを中心に、ハウジング本体３７に回転自在に支持されている。また、つまみ部材３９は、ハウジング本体３７から突出したつまみ部３９ｂを備えており、つまみ部３９ｂをユーザが回転操作することで、つまみ部材３９に連結された取付け台３８が回転するようになっている。取付け台３８が回転することで、これに取付けられているＭＥＭＳプロジェクタ３５も切欠き部３８ｂと共に回転する。
【００３７】
係止手段４０は、つまみ部材３９の回転軸３９ａに取り付けられる爪状に形成された複数の第１係止部４１と、ハウジング本体３７に形成され、複数の第１係止部４１を係止可能な凹状に形成された複数の第２係止部４２と、を備えている。本実施形態においては、係止手段４０は、等間隔に設けられた３つの第１係止部４１と、３つの第１係止部４１のそれぞれを係止可能に等間隔に形成された３０個の第２係止部４２と、を備えており、１回の回転操作（クリック）で１２度回転するようになっている。１２度ずつ回転させることで、ユーザの好きな位置に位置させることができるようになっている。また、係止手段４０でＭＥＭＳプロジェクタ３５の回転を停止させることで、投影中に、ＭＥＭＳプロジェクタ３５が不要に回転したり、映像がぶれたりすることが防止される。
【００３８】
イヤーパッド３３は、弾性変形可能に形成されたパッド面３３ａがユーザの左耳の周囲に密着して、左スピーカ部３０から出力される音が左ヘッドホンユニット３から漏れることを防止する。
【００３９】
次に、上述のように構成されたヘッドホン装置１のプロジェクタ機能の使用方法について、図７を参照しながら説明する。図７は、本実施形態に係るヘッドホン装置１の使用状態を示す図である。
【００４０】
本実施形態に係るヘッドホン装置１のプロジェクタ機能を使用するには、ヘッドホン装置１のメモリ３１ｂに予め映画等の映像データを記憶させておく必要がある。また、映像が投射される被投射物としては、電車や飛行機等の乗り物に乗っている場合は、例えば、前席の背面部、窓、鞄の表面、自分の手のひら、及び許可が得られれば他人の背中等を利用することができる。また、外出先の屋内であれば、その部屋の壁、天井及び窓等を利用することができ、屋外であれば、地面、壁、自分の手のひら、及び鞄の表面等を利用することができる。
【００４１】
以下、ヘッドホン装置１に予め記憶させた映画を、電車に乗っているユーザの前席の背面部に投影させて視聴する場合を用いて説明する。
【００４２】
移動中の電車の中で、予めメモリ３１ｂに記憶させておいた映画を見る場合、ユーザは、ヘッドホン装置１を頭部に装着した後、つまみ部３９ｂを回転操作して、ハウジング本体３７の開口部３７ａを開口させる。これにより、ユーザの前席の背面部に向けて映画を投射可能な位置にＭＥＭＳプロジェクタ３５が回動する。このとき、ユーザは、つまみ部３９ｂの回転を調整することで、投射影方向も調整可能となる。例えば、ユーザの視線上に位置するように調整したり、視線よりも低くなるように調整したりすることができる。
【００４３】
次に、ユーザは、操作部２３を操作して、映画の投射を開始する。映画が投射されると、図７に示すように、ユーザの前席の背面部に映画が投射される。ＭＥＭＥプロジェクタ３５は、フォーカスフリーであるため、前席の背面部との距離及び投影角度に関わりなく、ピントずれのない映画を楽しむことができる。
【００４４】
また、視聴中に、投影場所を変更したい場合、例えば、前席の背面部から手元にある鞄等に変更したい場合には、頭の向きを変えることで変更可能となるが、つまみ部３９ｂを数クリック分だけ回転させて投影角度を調整することでも変更することができる。
【００４５】
更に、例えば、視聴中に、他人から話しかけられた場合等、投影を停止するまでもなく、一時的に映画の投射を中断させたい場合には、つまみ部３９ｂを回転させることで、ＭＥＭＳプロジェクタ３５の投射方向が開口部３７ａから外れる（ハウジングの内部に投射される）と共に、シャッタ部３８ａにより開口部３７ａが閉鎖される。そのため、投射を停止することなく、容易に映画の視聴を止めることができる。また、つまみ部３９ｂを回転させることで、開口部３７ａが開くと共に、映像が外部に投射されるので、視聴の再開も容易となる。このとき、スイッチ操作がないので、すぐに再開することができる。
【００４６】
映画が終わると、ユーザは操作部２３を操作して、映画の投射を停止し、つまみ部３９ｂを回転させる。つまみ部３９ｂが回転すると、取付け台３８が回転して、シャッタ部３９ａにより開口部３７ａが閉鎖される。このとき、取付け台３８は、係止手段４０により、１回転操作（クリック）で１２度回転するようになっている。そのため、ユーザは、シャッタ部３８ａが開口部３７ａと対向する位置に来るまで、つまみ部３９ｂを複数回、回転操作する。例えば、開口部３７ａの開口角度が６０度であれば、ユーザは、つまみ部３９ｂを５回回転させて開口部３７ａを閉鎖する。
【００４７】
なお、取付け台３８には不図示のストッパが設けられており、つまみ部３９ｂの回転角度が規制されている。そのため、取付け台３８の回転によりＭＥＭＳプロジェクタ３５に接続されたＦＦＣ３６が必要以上にねじれることが防止されるようになっている（図４（ｄ）参照）。
【００４８】
以上説明したように、本実施形態に係るヘッドホン装置１は、左ヘッドホンユニット３に、ＭＥＭＳプロジェクタ３５を有する画像投影部３１を内蔵すると共に、映像を投射可能な開口部３７ａが形成されている。そのため、ヘッドホン装置に映像を視聴可能な画像投影機能を設けた場合においても、ヘッドホン装置としてのデザインを損なうことがない。これにより、外出先等で気軽に使用することができる。
【００４９】
また、ヘッドホン装置１は、ＭＥＭＳプロジェクタ３５を用いて画像を投影する。そのため、左ヘッドホンユニット３に画像投影装置を内蔵させても、左ヘッドホンユニット３が大型化することを抑えることができる。これにより、装置全体の大型化及び重量化が抑制され、装着時におけるユーザへの負担を軽減させることができる。
【００５０】
また、ヘッドホン装置１のＭＥＭＥプロジェクタ３５は、フォーカスフリーなので、ピントの調節等が不要になる。そのため、外出先等で容易に映画等の映像を楽しむことができる。また、例えば、自室にテレビ等がない場合でも、自室の壁や天井に映像を投影することで、容易に映像を楽しむことができる。更に、大型化及び重量化等が抑制されているので、例えば、横になって壁や天井に映像を映して楽しむことができる等、比較的、自由な姿勢で映像の視聴を楽しむことができる。
【００５１】
また、ヘッドホン装置１は、取付け台３８を回転させることで、開口部３７ａから投射されるＭＥＭＳプロジェクタ３５の投射角度が調整可能になっている。そのため、例えば、頭の位置を変えなくても投射方向を変えることができる。これにより、映像を視聴するユーザへの負担を軽減させることができる。
【００５２】
また、ヘッドホン装置１は、取付け台３８を回転させて開口部３７ａを塞ぐシャッタ部３８ａを有している。そのため、開口部３７ａから不要にごみや埃が新有することを防止することができる。そのため、ごみや埃が干渉して内部機器が不具合等を引き起すことを防止することができる。
【００５３】
また、ヘッドホン装置１は、係止手段４４により、所定の回転角度毎に係止するように構成されている。そのため、ユーザは、回転操作する際に、クリック感を感じることができる。また、取付け台３８には回転角度を規制するストッパが設けられているので、ストッパにより規制されるまで取付け台３８を回転させることで、開口部３７ａの閉め忘れを防止することができる。更に、取付け台３８の回転角度が規制されることで、ＦＦＣ３６のねじれが制限され、ＦＦＣ３６に必要以上の負荷がかかることを防止することができる。さらにまた、所定の回転角度毎に係止するため、開口部３７ａが不要に開いてしまうことを防止することができると共に、投射方向の微調整が容易となる。
【００５４】
また、ヘッドホン装置１は、ＭＥＭＳ基板３４とＭＥＭＳプロジェクタ３５とが蛇腹状に折り畳まれたＦＦＣ３６により接続されている（図４（ｃ）参照）。そのため、例えば、ＭＥＭＳプロジェクタ３５を回転させても、ＦＦＣ３６に作用する負荷を低減させることができる（図４（ｄ）参照）。これにより、ＦＦＣが必要以上にねじれたり、切断等されたりすることが防止される。
【００５５】
（第２の実施形態）
以上、本発明の実施形態について説明したが、本発明は上述した実施形態に限定されるものではない。また、本発明の実施形態に記載された効果は、本発明から生じる好適な効果を列挙したに過ぎず、本発明による効果は、本発明の実施形態に記載されたものに限定されない。
【００５６】
例えば、本実施形態においては、一対のヘッドホンユニット１１を有するヘッドホン装置１を用いて説明したが、本発明はこれに限定されない。ヘッドホン装置は、例えば、片方の耳の外耳にかけて使用する耳かけ型のヘッドホン装置に用いてもよい。
【００５７】
また、本実施形態においては、映画等の映像データを予めメモリ３１ｂに記憶させた構成を用いて説明したが、本発明はこれに限定されない。例えば、無線通信手段によりスマートホンやタブレット等の外部機器等から映像データを無線通信可能な構成であってもよい。
【００５８】
また、本実施形態においては、ＭＥＭＳプロジェクタ３５の操作と、シャッタ部３８ａの回転（移動）と、を別動作で行う構成を用いて説明したが、シャッタ部３８ａの回転（移動）とＭＥＭＳプロジェクタ３５の操作とを連動させる構成であってもよい。例えば、取付け台３８を回転させてシャッタ部３８ａがハウジング本体３７の開口部３７ａを閉じると、ＭＥＭＳプロジェクタ３５の投影が停止され、開口部３７ａを開くと、ＭＥＭＳプロジェクタ３５の投影が開始される構成であってもよい。
【００５９】
また、例えば、本実施形態においては、無線通信手段（Ｂｌｕｅｔｏｏｔｈ（登録商標））２４を用いて音信号を無線通信する構成を用いて説明したが、本発明はこれに限定されない。音信号は、有線で右スピーカ部２０や左スピーカ部３０のドライバユニットに通信される構成であってもよい。この場合、例えば、ステレオジャックやＵＳＢジャック等を用いて音声再生装置等から音信号を通信するとよい。
【００６０】
また、本実施形態においては、回転軸の軸方向は、スピーカ出力の中心線の角度と一致することとしていたが、例えば、ユーザの頭部にヘッドホン装置１が装着されている状態で、ユーザの視野内におかれた対象物に画像を投影することができる限り、回転軸の方向とスピーカ出力の中心線の方向と一致させる必要はない。
【００６１】
また、本実施形態においては、ハウジング本体３７の開口部３７ａは、貫通孔を用いて説明したが、本発明はこれに限定されない。例えば、開口部３７ａは、透明カバー、レンズ又はフィルタ等の光を透過可能な部材等が挿入された状態のものであってもよい。本発明でいう開口部には、光を透過可能な部材が挿入された状態のものも含まれる。
【００６２】
また、本実施形態においては、画像投影部３１からの画像の投影角度を上下に調整可能としたが、画像投影部３１からの画像の投影角度は、左右方向にも調整可能としてもよい。
【００６３】
本実施形態においては、第１係止部４１を爪状に形成し、第２係止部４２を第１係止部と係止可能な凹状に形成したが、本発明はこれに限定されない。例えば、第２係止部を爪状に形成し、第１係止部を第２係止部を係止可能な凹状に形成してもよい。つまり、雄雌を入れ替えてもよい。
【符号の説明】
【００６４】
１    ヘッドホン装置
２    右ヘッドホンユニット
３    左ヘッドホンユニット（ヘッドホン本体）
１０    ヘッドバンド
１１    一対のヘッドホンユニット
２０    右スピーカ部
２４    無線通信手段
２５    ハウジング
３０    左スピーカ部
３１    画像投影部
３１ａ    ＭＥＭＳミラー
３１Ｒ、３１Ｇ、３１Ｂ    レーザ光源（光源）
３２    ハウジング
３４    ＭＥＭＳ基板（基板）
３５    ＭＥＭＳプロジェクタ
３６    フレキシブルフラットケーブル
３７    ハウジング本体
３７ａ    開口部（投射口）
３８    取付け台
３８ａ    シャッタ部
４０    係止手段
４１    第１係止部
４２    第２係止部
【図１】
2016025368.tif 000003
【図２】
2016025368.tif 000004
【図３】
2016025368.tif 000005
【図４】
2016025368.tif 000006
【図５】
2016025368.tif 000007
【図６】
2016025368.tif 000008
【図７】
2016025368.tif 000009